(57)【要約】【課題】  地下街や建物内部であっても、階をまたいだ経路探索の結果をユーザにわかり易く提供することができる通信ナビゲーションシステムを提供する。【解決手段】  情報配信サーバ２０は、ノードデータとリンクデータとコストデータからなる地図データを蓄積した地図データベース２３を備え、リンクデータには各リンクに該リンクが位置する階の情報を属性情報として付加し、階をつなぐリンクには前記階の情報とは異なる属性情報を付加する。経路探索部２４は、地図データベースを参照して出発地から目的地に至るリンクをたどり最適なリンクを案内経路として決定し、案内ポイントデータ作成部２６は、案内経路に応じて案内ポイントを含む案内データを作成する。携帯端末２０は、位置情報受信部３５で構造物内に設置された位置情報送信ユニットから、階の情報を含む位置情報を受信し、位置情報に基づいて案内データ中の案内ポイントに設定された案内を行う。【選択図】      図１
2006023094.tif 000002
【特許請求の範囲】
【請求項１】
携帯端末と情報配信サーバとがネットワークを介して接続される通信ナビゲーションシステムであって、
前記携帯端末は、出発地と目的地の階を含む位置情報とともに経路探索要求を送信する経路探索要求部と、位置情報受信部と、を備え、
前記情報配信サーバは、ノードデータとリンクデータとコストデータからなる地図データを蓄積した地図データベースと、経路探索部と、探索した案内経路に応じた案内ポイントを含む案内データを作成する案内ポイントデータ作成部と、データ配信部と、を備え、
前記リンクデータには各リンクに該リンクが位置する階の情報を属性情報として付加し、階をつなぐリンクには前記階の情報とは異なる属性情報を付加し、
前記経路探索部は、携帯端末からの経路探索要求に基づいて前記地図データベースを参照して出発地から目的地に至るリンクをたどり、最適なリンクを案内経路として決定し、
前記案内ポイントデータ作成部は、案内経路に応じて案内ポイントを含む案内データを作成し、
前記データ配信部は、地図データおよび案内経路データと案内データを前記携帯端末に配信し、
前記携帯端末は、位置情報受信部で構造物内に設置された位置情報送信ユニットから、階の情報を含む位置情報を受信し、該位置情報に基づいて、案内データから案内ポイントへの到達を検出し、該案内ポイントに設定された案内を行うことを特徴とする通信ナビゲーションシステム。
【請求項２】
前記案内ポイントデータ作成部は、前記異なる属性情報が付加されたリンクの端点のノード近傍の位置を案内ポイントとして案内データを作成することを特徴とする請求項１に記載の通信ナビゲーションシステム。
【請求項３】
前記経路探索部は、前記探索した案内経路および地図データを階毎に分離し、前記案内ポイントデータ作成部は、案内ポイントを含む案内データを階毎に作成し、前記携帯端末に配信することを特徴とする請求項１に記載の通信ナビゲーションシステム。
【請求項４】
前記案内ポイントデータ作成部は、案内ポイントを含む案内データを階毎に作成し、前記異なる属性情報が付加されたリンクの端点のノード近傍の位置を案内ポイントとして案内データを作成することを特徴とする請求項１に記載の通信ナビゲーションシステム。
【請求項５】
出発地と目的地の階を含む位置情報とともに経路探索要求を送信する経路探索要求部を有する携帯端末がネットワークを介して接続される通信ナビゲーションシステムを構成する情報配信サーバであって、前記情報配信サーバは、ノードデータとリンクデータとコストデータからなる地図データを蓄積した地図データベースと、経路探索部と、探索した案内経路に応じた案内ポイントを含む案内データを作成する案内ポイントデータ作成部と、データ配信部と、を備え、
前記リンクデータには各リンクに該リンクが位置する階の情報を属性情報として付加し、階をつなぐリンクには前記階の情報とは異なる属性情報を付加し、
前記経路探索部は、携帯端末からの経路探索要求に基づいて前記地図データベースを参照して出発地から目的地に至るリンクをたどり、最適なリンクを案内経路として決定し、
前記案内ポイントデータ作成部は、案内経路に応じて案内ポイントを含む案内データを作成し、
前記データ配信部は、地図データおよび案内経路データと案内データを前記携帯端末に配信することを特徴とする情報配信サーバ。
【請求項６】
前記案内ポイントデータ作成部は、前記異なる属性情報が付加されたリンクの端点のノード近傍の位置を案内ポイントとして案内データを作成することを特徴とする請求項５に記載の情報配信サーバ。
【請求項７】
前記経路探索部は、前記探索した案内経路および地図データを階毎に分離し、前記案内ポイントデータ作成部は、案内ポイントを含む案内データを階毎に作成し、前記携帯端末に配信することを特徴とする請求項５に記載の情報配信サーバ。
【請求項８】
前記案内ポイントデータ作成部は、案内ポイントを含む案内データを階毎に作成し、前記異なる属性情報が付加されたリンクの端点のノード近傍の位置を案内ポイントとして案内データを作成することを特徴とする請求項５に記載の情報配信サーバ。
【請求項９】
出発地と目的地の階を含む位置情報とともに経路探索要求を送信する経路探索要求部を有する携帯端末がネットワークを介して接続される通信ナビゲーションシステムを構成する情報配信サーバであって、ノードデータとリンクデータとコストデータからなる地図データを蓄積した地図データベースと、経路探索部と、探索した案内経路に応じた案内ポイントを含む案内データを作成する案内ポイントデータ作成部と、データ配信部と、を備え、前記リンクデータには各リンクに該リンクが位置する階の情報を属性情報として付加し、階をつなぐリンクには前記階の情報とは異なる属性情報を付加した情報配信サーバを構成するコンピュータに、
携帯端末からの経路探索要求に基づいて前記地図データベースを参照して出発地から目的地に至るリンクをたどり、最適なリンクを案内経路として決定する経路探索部としての処理を実行させ、
案内経路に応じて案内ポイントを含む案内データを作成する案内ポイントデータ作成部としての処理を実行させ、
地図データおよび案内経路データと案内データを前記携帯端末に配信するデータ配信部としての処理を実行させることを特徴とするプログラム。
【請求項１０】
前記情報配信サーバを構成するコンピュータに、
前記異なる属性情報が付加されたリンクの端点のノード近傍の位置を案内ポイントとして案内データを作成する案内ポイントデータ作成部としての処理を実行させることを特徴とする請求項９に記載のプログラム。
【請求項１１】
前記情報配信サーバを構成するコンピュータに、
前記探索した案内経路および地図データを階毎に分離する経路探索部としての処理を実行させ、前記案内ポイントデータ作成部は、案内ポイントを含む案内データを階毎に作成する案内ポイントデータ作成部としての処理を実行させることを特徴とする請求項９に記載のプログラム。
【請求項１２】
前記情報配信サーバを構成するコンピュータに、
前記案内ポイントデータ作成部は、案内ポイントを含む案内データを階毎に作成し、前記異なる属性情報が付加されたリンクの端点のノード近傍の位置を案内ポイントとして案内データを作成する案内ポイントデータ作成部としての処理を実行させることを特徴とする請求項９に記載のプログラム。
【請求項１３】
ノードデータとリンクデータとコストデータからなる地図データを蓄積した地図データベースと、経路探索部と、探索した案内経路に応じた案内ポイントを含む案内データを作成する案内ポイントデータ作成部と、データ配信部と、を備え、前記リンクデータには各リンクに該リンクが位置する階の情報を属性情報として付加し、階をつなぐリンクには前記階の情報とは異なる属性情報を付加した情報配信サーバがネットワークを介して接続される通信ナビゲーションシステムを構成する携帯端末であって、
前記携帯端末は、出発地と目的地の階を含む位置情報とともに経路探索要求を送信する経路探索要求部と、構造物内に設置された位置情報送信ユニットから、階の情報を含む位置情報を受信する位置情報受信部と、を備え、
前記位置情報受信部が受信した階を含む位置情報に基づいて、前記情報配信サーバから配信される地図データ、案内経路データを表示し、前記案内データを再生することを特徴とする携帯端末。
【請求項１４】
前記位置情報受信部が受信した階を含む位置情報に基づいて、前記情報配信サーバから配信される地図データ、案内経路データを表示し、前記異なる属性情報が付加されたリンクの端点のノード近傍の位置を案内ポイントとして作成された案内データを再生することを特徴とする請求項１３に記載の携帯端末。
【請求項１５】
前記位置情報受信部が受信した階を含む位置情報に基づいて、前記情報配信サーバから配信される階毎の地図データ、案内経路データを表示し、前記案内データを再生することを特徴とする請求項１３に記載の携帯端末。
【請求項１６】
前記位置情報受信部が受信した階を含む位置情報に基づいて、前記情報配信サーバから配信される階毎の地図データ、案内経路データを表示し、前記異なる属性情報が付加されたリンクの端点のノード近傍の位置を案内ポイントとして作成された案内データを再生することを特徴とする請求項１３に記載の携帯端末。
【請求項１７】
ノードデータとリンクデータとコストデータからなる地図データを蓄積した地図データベースと、経路探索部と、探索した案内経路に応じた案内ポイントを含む案内データを作成する案内ポイントデータ作成部と、データ配信部と、を備え、前記リンクデータには各リンクに該リンクが位置する階の情報を属性情報として付加し、階をつなぐリンクには前記階の情報とは異なる属性情報を付加した情報配信サーバがネットワークを介して接続される通信ナビゲーションシステムを構成する携帯端末であって、
前記携帯端末は、出発地と目的地の階を含む位置情報とともに経路探索要求を送信する経路探索要求部と、構造物内に設置された位置情報送信ユニットから、階の情報を含む位置情報を受信する位置情報受信部と、を備えた携帯端末を構成するコンピュータに、
出発地と目的地の階を含む位置情報とともに経路探索要求を送信する経路探索要求部としての処理と、
構造物内に設置された位置情報送信ユニットから、階の情報を含む位置情報を受信する位置情報受信部としての処理と、
位置情報受信部が受信した階を含む位置情報に基づいて、前記情報配信サーバから配信される地図データ、案内経路データを表示し、前記案内データを再生する処理と、を実行させることを特徴とするプログラム。
【請求項１８】
前記携帯端末を構成するコンピュータに、
前記位置情報受信部が受信した階を含む位置情報に基づいて、前記情報配信サーバから配信される地図データ、案内経路データを表示する処理と、前記異なる属性情報が付加されたリンクの端点のノード近傍の位置を案内ポイントとして作成された案内データを再生する処理と、を実行させることを特徴とする請求項１７に記載のプログラム。
【請求項１９】
前記携帯端末を構成するコンピュータに、
前記位置情報受信部が受信した階を含む位置情報に基づいて、前記情報配信サーバから配信される階毎の地図データ、案内経路データを表示する処理と、前記案内データを再生する処理と、を実行させることを特徴とする請求項１７に記載のプログラム。
【請求項２０】
前記携帯端末を構成するコンピュータに、
前記位置情報受信部が受信した階を含む位置情報に基づいて、前記情報配信サーバから配信される階毎の地図データ、案内経路データを表示する処理と、前記異なる属性情報が付加されたリンクの端点のノード近傍の位置を案内ポイントとして作成された案内データを再生する処理と、を実行させることを特徴とする請求項１７に記載のプログラム。
【発明の詳細な説明】
【技術分野】
【０００１】
本発明は、携帯電話などの携帯端末から送られる出発地と目的地および移動手段などの経路探索条件に基づいて経路探索を行い、地図データおよび案内経路データを携帯端末に提供する通信ナビゲーションシステム、情報配信サーバ（ナビゲーションサーバ）および携帯端末ならびにプログラムに関するものであり、特に、携帯端末の測位手段であるＧＰＳ（Global Positioning System）処理ができない地下街、建物内など、垂直方向に階層を有する構造物内の経路探索を可能とした通信ナビゲーションシステム、情報配信サーバおよび携帯端末ならびにプログラムに関するものである。
【背景技術】
【０００２】
近年、携帯電話などの携帯端末の発展には目覚ましいものがあり、単なる通話のための端末装置から、インターネットなどのネットワークを介して種々のサーバに接続してデータ通信を行う総合的な携帯端末装置として使用され、携帯端末の普及率も極めて高いものになっている。特に、現在は一部の携帯電話にしか搭載されていない測位ユニット、例えば、ＧＰＳ（Global Positioning System）衛星からの信号を受信して測位するＧＰＳ受信機などの搭載が、第三世代と称される携帯電話では全ての機種に搭載されるような趨勢にある。
【０００３】
このような測位機能を有する携帯端末の利用技術としては、種々の分野の技術が提案されており、例えば、自動車用のナビゲーション装置（カーナビ）を発展させ、携帯電話を端末として地図・経路情報を情報配信サーバ（経路探索サーバ）から配信する歩行者用の通信型ナビゲーションシステムが提案されている。また、携帯電話を端末として利用した決済システムや様々なインターネット取引システムなども提案されている。そして最近では、事件や事故の際の通報に携帯電話が使用されることも多くなってきており、通報場所を特定する技術の必要性が増大しつつある。また、老人の所在場所を携帯電話の測位システムを利用して特定しようという試みもなされており、その用途は今後も拡大を続けるものと思われる。
【０００４】
例えば、国土交通省では、非特許文献１（「歩行者ＩＴＳ（Intelligent Transport System）と高精度測位技術」と題する報告書、２００２年３月）に障害者などを含む歩行者に経路案内をするための案内システムの骨格について開示している。この非特許文献１には、歩行者が携帯端末（杖などの器具）に位置情報を送信するための種々の技術が示されている。例えば、ＧＰＳ受信機を搭載する技術の他に、歩行空間に無線ＩＤタグを設置する技術やブルートゥース（Bluetooth：登録商標）を利用したタグを設置する技術が示されている。タグには固有の識別情報が記録され、これに基づいてタグの設置位置を中心とした範囲に存在する携帯端末の場所を特定（位置を測位）しようとするシステムである。一方、総務省では、携帯電話からの緊急通報における発信者位置情報通知機能に関する検討を進めており、このための測位システムを確立する必要性も増大している。
【０００５】
ＧＰＳ受信機を搭載して携帯端末の現在位置を測位する技術はカーナビや通信型ナビゲーションシステムで実用化されており、測位精度の向上も図られているが、ＧＰＳ衛星からの信号を受信できることが前提となるため、地下街や建物の内部での測位には適していないのが現状である。これに対してブルートゥース（Bluetooth：登録商標）を利用したタグを歩行空間に設置する技術は、地下街や建物の内部に経路に沿って適宜の間隔でタグを設置することによって携帯端末に位置情報を提供することができ、ＧＰＳ測位システムを補間する技術として利用することができる。
【０００６】
ブルートゥース（Bluetooth：登録商標）は、比較的微弱な電波を用いた無線通信方式であり、現状の電波到達範囲は半径１０ｍ程度である。この通信方式を利用した送信ユニットにはＩＤタグ（ＲＯＭなどのメモリに記録された固有のＩＤ情報）が備えられ、ＩＤタグに記録された情報を無線で携帯端末に送信するものである。携帯端末にはこの無線通信方式に対応した受信機を搭載しておき、受信したＩＤ情報を位置情報センターに送り当該携帯端末の位置を特定するシステムを構成することができる。この場合、送信ユニットの間隔は電波の干渉を防止するため、半径１０ｍ（直径２０ｍ）の間隔で設置すればよく、位置の測位精度は現状のＧＰＳ測位の精度よりも高く、小さな位置範囲まで特定することができる。
【０００７】
一方、携帯電話などの携帯端末の位置を特定するための技術としては、例えば、下記の特許文献１（特開２００２−１０９６７９号公報）に開示された位置情報提供サービスがある。この位置情報提供サービスシステムは、特定エリアにおける旅行者の通路を、路上に設置された物理的手段により通路ネットワークとして構成し、通路ネットワークのノード及びターミナルポイントには無線通信アクセスを可能にする情報通信手段を具備して旅行者に情報提供することができるようにした情報提供システムである。そして、このシステムは、更に、通路ネットワークのノードとターミナルポイント及び旅行者の各々の情報通信手段はそれぞれ個別番号を有していて、その個別番号に対応する個別信号が中央処理装置に伝送され、かつ適切に処理されて旅行者の位置情報データベースが生成され、その
位置情報データベースを活用した旅行者の位置情報提供サービスがインターネットを経由して旅行者または第三者に提供できるようにしたものである。
【０００８】
また、下記の特許文献２（特開２００３−３４４０９３号公報）には、地下街などＧＰＳ信号が受信できない場所において携帯端末に経路を案内する経路案内システムが開示されている。すなわち、この経路案内システムは、地下街のように現在地の認識が困難な場所においても、歩行者としての操作者が適切に現在地を認識することができ、また、目的地までの経路を容易に把握することができるようにすることを目的としたものである。そして、この経路案内システムは、地図データに基づいて地下経路を探索する経路探索部と、地図データと案内看板データとに基づいて、探索された地下経路を案内する案内データを作成する経路案内データ作成部と、作成された案内データに基づいて、案内看板の文字列を表示画面に表示させる送信データを作成する送信データ作成部とから構成したものである。
【０００９】
同様に階層のある屋内の経路探索装置として下記の特許文献３（特開２００３−２４０５９１号公報）が開示されている。この特許文献３に開示された経路探索装置は、ノードデータとリンクデータとを記憶した通行路データ記憶部と、コストデータ（所要時間）を記憶したコストデータ記憶部とを保持する電子地図データを用いて経路の探索を行うようにしたものである。
【００１０】
すなわち、ノードとは、通路や経路の端点、分岐点であり、分岐点には階段、エスカレータ、エレベータなど階をつなぐ経路に分岐する分岐点も含まれる。各ノードにはノード番号が与えられ、各ノードには属性としてそのノードが存在する「階数」がパラメータとして設定されている。そして、リンクとは、ノードとノードを結ぶ経路であり、それぞれのリンクの特徴を表すリンク種別、リンク長が関連付けられている。リンク種別はリンクの種類である「通路」、「エレベータ」、「エスカレータ」、「階段」などであり、また、リンク属性として通路の幅員、階段の段数、段差の有無などを設定している。コストデータとは各リンクの長さや移動に要する所要時間である。
【００１１】
これによって、出発位置と目的位置が与えられれば、出発地のノードから、そのノードに接続されているリンクをたどり、コスト（長さや移動時間）が最も小さくなるリンクを接続していけば、目的位置までの最短の経路を探索し、案内経路を決定することができる。そして、ノード、リンクから構成されている地図データに案内経路を重ねるなどして端末に送り、表示してナビゲーションすることができる。目的位置が出発位置と異なる階にあるときには、階数をパラメータとして持つノードを見つけ、探索することによって、複数の階層が存在する百貨店やスーパーマーケット、あるいは自走式の立体駐車場等において、出入り口等の出発位置から上層階に存在する目的位置までの経路探索を可能としたものである。
【００１２】
上記のような位置情報提供システムあるいはＧＰＳ測位システムにより得た位置情報を利用する１つの応用として、携帯端末から出発地と目的地の情報を情報配信サーバに送り、情報配信サーバで道路網や交通網のデータから最短の経路を探索して案内するナビゲーション装置が実用化されている。このようなナビゲーションシステムにおける経路探索方法としてはダイクストラ法（ラベル確定法）が用いられる。下記の特許文献４（特開２００１−１６５６８１号公報）には、ダイクストラ法を用いた経路探索の方法の概略が開示されている。
【００１３】
【特許文献１】特開２００２−１０９６７９号公報（図４、図６、図７）
【特許文献２】特開２００３−３４４０９３号公報（図１６〜図２３）
【特許文献３】特開２００３−２４０５９１号公報（図２）
【特許文献４】特開２００１−１６５６８１号公報（図１、段落［０００３］〜［００１０］）
【非特許文献１】「歩行者ＩＴＳ（Intelligent Transport System）と高精度測位技術」と題する報告書、２００２年３月、国土交通省
【発明の開示】
【発明が解決しようとする課題】
【００１４】
一般的なナビゲーション装置やナビゲーションシステムでは、ノードデータ、リンクデータ、コストデータなどから構成された地図データがデーダベース化されているため、出発地と目的地の位置データ（緯度・経度）が指定されれば、前述のダイクスラ法などを用いて経路探索は可能である。従って、経路探索とその結果（地図データと案内経路）のみを提供するだけであれば、現在位置を測位する手段は、本質的には必要としない。しかしながら、案内経路上のどこに現在位置しているかを表示し、あるいは、移動に伴って音声などの手段で進行方向や右左折などを案内（ガイド）するためには、現在位置を測位する手段が必要になる。このため、一般的なナビゲーション装置やナビゲーションシステムにおける携帯端末には、ＧＰＳ受信機などの測位手段が設けられている。
【００１５】
前述したように、携帯端末にＧＰＳ受信機を搭載して測位を可能とした場合であっても、建物の内部や地下街などのように、ＧＰＳ衛星信号を受信できない場所では、携帯端末の位置を特定することができない。このため、上記特許文献２（特開２００３−３４４０９３号公報）に開示された経路案内システムでは、地下街などの通路、出口等に設置されている案内看板を利用して経路案内を行っている。しかしながら、この案内システムでは、案内看板の設置場所を結ぶ経路しか案内できないため、必ずしも最短の経路案内ができないという問題点がある。
【００１６】
仮に、建物内部にてＧＰＳ衛星信号が受信できたとしても、ＧＰＳ測位システムによって得られる位置情報は、緯度、経度のみであり、建物の内部や地下街では携帯端末が位置する階（フロア）が異なっても、同じ緯度、経度の測位結果になり、階の特定ができないという問題点がある。
【００１７】
また、建物内部にＧＰＳ衛星信号と等価な信号を発生させる設備、あるいは前述の無線ＩＤタグやブルートゥース（Bluetooth：登録商標）を利用したタグを経路に沿って設置する場合、送信のための設備やＩＤタグなどを設置するインフラストラクチャー構築の費用が莫大なものになるという問題点がある。
【００１８】
また、特許文献３（特開２００３−２４０５９１号公報）に開示された経路探索装置においては、各階の経路および階を結ぶ経路の端点、分岐点に設定したノードとそのノードが位置する階数情報をバラメータとして加えたノードデータ、各ノードをつなぐリンクとリンク長や通路、階段、エレベータ、エスカレータなどリンク種別を含むリンクデータを記憶した通行路データ記憶部と、各リンクのコストデータ（リンクノ距離、所要時間など）を記憶したコストデータ記憶部とを保持する電子地図データを用いて経路の探索を行うようにしている。
【００１９】
しかしながら、上記特許文献３に開示された経路探索装置においては、各階の経路および階を結ぶ経路の端点、分岐点に設定したノードとそのノードが位置する階数情報をバラメータとして加えたノードデータ、各ノードをつなぐリンクとリンク長や通路、階段、エレベータ、エスカレータなどリンク種別を含むリンクデータに基づいて経路探索を行っている。このようなデータ構造の地図データを用いて経路探索を行った場合、探索の結果求められた案内経路に対するガイドを行うと、階の切り替わりにおける判定の効率が悪いという問題点が生じる。
【００２０】
例えば、エレベータのノードにおけるガイダンスを作ろうとした場合、該当ノードと手前のノードが同じ階で、次のノードが別の階なら、エレベータの乗り口である。常に３つのノードを比較しないとわからない。また、エレベータを降りる階も、該当ノードと手前のノードが別の階で、次のノードが該当ノードと同じ階というようにこの方式では３つのノードを調べないとわからない。これでは、サーバでルート探索してガイダンスポイントまで生成する方式では、サーバの負荷が大きくなるので適さないという問題点がある。
【００２１】
また、上記特許文献３に開示された経路探索装置においては、現在位置の取得方法については具体的記述がなく、装置にＧＰＳを搭載することがわずかに記載されているのみであり、建物内での位置情報の提供方法については言及していない。また、建物内の地図がどのように表示されるか、具体的な記述がない。通常のナビゲーション装置では地図は１平面の地図でありそのまま表示しても問題ないが、複数の階の地図データをそのまま表示した場合には、経路が重なりあって、視認が困難なものになるという問題点が生じる。
【００２２】
本願の発明者は、前記の問題点を解消するため、種々検討を重ねた結果、リンクデータに属性として「階」の情報を示す属性情報を付加する（「階」をつなぐリンクには階情報を付加せず他の属性情報とする）ことによって、リンクをたどっていった時に、階情報が付加されていないリンクに到達したらその手前のノードが階をつなぐリンクの入口（起点）で、先のノードがその出口（終点）であるとシンプルに判定でき、前記の問題点を解消できることに想到したものである。
【００２３】
また、上記のように地図データに「階」の情報を付加したものであるから、地図データを表示する際には、階ごとの地図データを提供することによって視認し易い経路の案内を提供することができ、更に、ＧＰＳ測位が不能になる地下街などで、携帯端末に現在位置の情報、特に、緯度、経度と「階」の情報を与える位置情報提供手段として、例えば、照明設備用電源のソケットなどの電源供給部を利用して無線ＩＤタグやブルートゥース（Bluetooth：登録商標）を利用したタグに相当する位置情報送信ユニット（無線送信機）を設置し、位置情報送信ユニットには設置位置の緯度、経度、階の情報を位置情報として記憶させておくことにより、案内経路をガイドするための位置情報を容易に提供できることに着想して本発明を完成するに至ったものである。
【００２４】
このように構成すれば、地下街や建物内部であっても、階をまたいだ経路探索を効率的に行うことができ、また、探索した案内経路を視認しやすく携帯端末に表示させることができ、更に、案内経路をガイドするための位置情報を容易に提供することができるようになる。
【００２５】
すなわち、本発明は、前記の問題点を解消することを課題とし、地下街や建物内部であっても、階をまたいだ経路探索の結果をユーザにわかり易く提供することができる通信ナビゲーションシステム、情報配信サーバおよび携帯端末ならびにプログラムを提供することを目的とするものである。
【課題を解決するための手段】
【００２６】
前記課題を解決するために、本願の請求項１にかかる発明は、携帯端末と情報配信サーバとがネットワークを介して接続される通信ナビゲーションシステムであって、
前記携帯端末は、出発地と目的地の階を含む位置情報とともに経路探索要求を送信する経路探索要求部と、位置情報受信部と、を備え、
前記情報配信サーバは、ノードデータとリンクデータとコストデータからなる地図データを蓄積した地図データベースと経路探索部と、探索した案内経路に応じた案内ポイントを含む案内データを作成する案内ポイントデータ作成部と、データ配信部と、を備え、
前記リンクデータには各リンクに該リンクが位置する階の情報を属性情報として付加し、階をつなぐリンクには前記階の情報とは異なる属性情報を付加し、
前記経路探索部は、携帯端末からの経路探索要求に基づいて前記地図データベースを参照して出発地から目的地に至るリンクをたどり、最適なリンクを案内経路として決定し、
前記案内ポイントデータ作成部は、案内経路に応じて案内ポイントを含む案内データを作成し、
前記データ配信部は、地図データおよび案内経路データと案内データを前記携帯端末に配信し、
前記携帯端末は、位置情報受信部で構造物内に設置された位置情報送信ユニットから、階の情報を含む位置情報を受信し、該位置情報に基づいて、案内データから案内ポイントへの到達を検出し、該案内ポイントに設定された案内を行うことを特徴とする。
【００２７】
また、本願の請求項２にかかる発明は、請求項１にかかる通信ナビゲーションシステムにおいて、前記案内ポイントデータ作成部は、前記異なる属性情報が付加されたリンクの端点のノード近傍の位置を案内ポイントとして案内データを作成することを特徴とする。
【００２８】
また、本願の請求項３にかかる発明は、請求項１にかかる通信ナビゲーションシステムにおいて、前記経路探索部は、前記探索した案内経路および地図データを階毎に分離し、前記案内ポイントデータ作成部は、案内ポイントを含む案内データを階毎に作成し、前記携帯端末に配信することを特徴とする。
【００２９】
また、本願の請求項４にかかる発明は、請求項１にかかる通信ナビゲーションシステムにおいて、前記案内ポイントデータ作成部は、案内ポイントを含む案内データを階毎に作成し、前記異なる属性情報が付加されたリンクの端点のノード近傍の位置を案内ポイントとして案内データを作成することを特徴とする。
【００３０】
また、本願の請求項５にかかる発明は、出発地と目的地の階を含む位置情報とともに経路探索要求を送信する経路探索要求部を有する携帯端末がネットワークを介して接続される通信ナビゲーションシステムを構成する情報配信サーバであって、前記情報配信サーバは、ノードデータとリンクデータとコストデータからなる地図データを蓄積した地図データベースと、経路探索部と、探索した案内経路に応じた案内ポイントを含む案内データを作成する案内ポイントデータ作成部と、データ配信部と、を備え、
前記リンクデータには各リンクに該リンクが位置する階の情報を属性情報として付加し、階をつなぐリンクには前記階の情報とは異なる属性情報を付加し、
前記経路探索部は、携帯端末からの経路探索要求に基づいて前記地図データベースを参照して出発地から目的地に至るリンクをたどり、最適なリンクを案内経路として決定し、
前記案内ポイントデータ作成部は、案内経路に応じて案内ポイントを含む案内データを作成し、
前記データ配信部は、地図データおよび案内経路データと案内データを前記携帯端末に配信することを特徴とする情報配信サーバ。
【００３１】
また、本願の請求項６にかかる発明は、請求項５にかかる情報配信サーバにおいて、前記案内ポイントデータ作成部は、前記異なる属性情報が付加されたリンクの端点のノード近傍の位置を案内ポイントとして案内データを作成することを特徴とする。
【００３２】
また、本願の請求項７にかかる発明は、請求項５にかかる情報配信サーバにおいて、前記経路探索部は、前記探索した案内経路および地図データを階毎に分離し、前記案内ポイントデータ作成部は、案内ポイントを含む案内データを階毎に作成し、前記携帯端末に配信することを特徴とする。
【００３３】
また、本願の請求項８にかかる発明は、請求項５にかかる情報配信サーバにおいて、前記案内ポイントデータ作成部は、案内ポイントを含む案内データを階毎に作成し、前記異なる属性情報が付加されたリンクの端点のノード近傍の位置を案内ポイントとして案内データを作成することを特徴とする。
【００３４】
また、本願の請求項９にかかる発明は、出発地と目的地の階を含む位置情報とともに経路探索要求を送信する経路探索要求部を有する携帯端末がネットワークを介して接続される通信ナビゲーションシステムを構成する情報配信サーバであって、ノードデータとリンクデータとコストデータからなる地図データを蓄積した地図データベースと、経路探索部と、探索した案内経路に応じた案内ポイントを含む案内データを作成する案内ポイントデータ作成部と、データ配信部と、を備え、前記リンクデータには各リンクに該リンクが位置する階の情報を属性情報として付加し、階をつなぐリンクには前記階の情報とは異なる属性情報を付加した情報配信サーバを構成するコンピュータに、
携帯端末からの経路探索要求に基づいて前記地図データベースを参照して出発地から目的地に至るリンクをたどり、最適なリンクを案内経路として決定する経路探索部としての処理を実行させ、
案内経路に応じて案内ポイントを含む案内データを作成する案内ポイントデータ作成部としての処理を実行させ、
地図データおよび案内経路データと案内データを前記携帯端末に配信するデータ配信部としての処理を実行させることを特徴とするプログラムである。
【００３５】
また、本願の請求項１０にかかる発明は、請求項９にかかるプログラムにおいて、情報配信サーバを構成するコンピュータに、前記異なる属性情報が付加されたリンクの端点のノード近傍の位置を案内ポイントとして案内データを作成する案内ポイントデータ作成部としての処理を実行させることを特徴とする。
【００３６】
また、本願の請求項１１にかかる発明は、請求項９にかかるプログラムにおいて、前記情報配信サーバを構成するコンピュータに、前記探索した案内経路および地図データを階毎に分離する経路探索部としての処理を実行させ、前記案内ポイントデータ作成部は、案内ポイントを含む案内データを階毎に作成する案内ポイントデータ作成部としての処理を実行させることを特徴とする。
【００３７】
また、本願の請求項１２にかかる発明は、請求項９にかかるプログラムにおいて、前記情報配信サーバを構成するコンピュータに、案内ポイントを含む案内データを階毎に作成し、前記異なる属性情報が付加されたリンクの端点のノード近傍の位置を案内ポイントとして案内データを作成する案内ポイントデータ作成部としての処理を実行させることを特徴とする。
【００３８】
また、本願の請求項１３にかかる発明は、ノードデータとリンクデータとコストデータからなる地図データを蓄積した地図データベースと、経路探索部と、探索した案内経路に応じた案内ポイントを含む案内データを作成する案内ポイントデータ作成部と、データ配信部と、を備え、前記リンクデータには各リンクに該リンクが位置する階の情報を属性情報として付加し、階をつなぐリンクには前記階の情報とは異なる属性情報を付加した情報配信サーバがネットワークを介して接続される通信ナビゲーションシステムを構成する携帯端末であって、
前記携帯端末は、出発地と目的地の階を含む位置情報とともに経路探索要求を送信する経路探索要求部と、構造物内に設置された位置情報送信ユニットから、階の情報を含む位置情報を受信する位置情報受信部と、を備え、
前記位置情報受信部が受信した階を含む位置情報に基づいて、前記情報配信サーバから配信される地図データ、案内経路データを表示し、前記案内データを再生することを特徴とする携帯端末。
【００３９】
また、本願の請求項１４にかかる発明は、請求項１３にかかる携帯端末において、前記位置情報受信部が受信した階を含む位置情報に基づいて、前記情報配信サーバから配信される地図データ、案内経路データを表示し、前記異なる属性情報が付加されたリンクの端点のノード近傍の位置を案内ポイントとして作成された案内データを再生することを特徴とする。
【００４０】
また、本願の請求項１５にかかる発明は、請求項１３にかかる携帯端末において、前記位置情報受信部が受信した階を含む位置情報に基づいて、前記情報配信サーバから配信される階毎の地図データ、案内経路データを表示し、前記案内データを再生することを特徴とする。
【００４１】
また、本願の請求項１６にかかる発明は、請求項１３にかかる携帯端末において、前記位置情報受信部が受信した階を含む位置情報に基づいて、前記情報配信サーバから配信される階毎の地図データ、案内経路データを表示し、前記異なる属性情報が付加されたリンクの端点のノード近傍の位置を案内ポイントとして作成された案内データを再生することを特徴とする。
【００４２】
また、本願の請求項１７にかかる発明は、ノードデータとリンクデータとコストデータからなる地図データを蓄積した地図データベースと、経路探索部と、探索した案内経路に応じた案内ポイントを含む案内データを作成する案内ポイントデータ作成部と、データ配信部と、を備え、前記リンクデータには各リンクに該リンクが位置する階の情報を属性情報として付加し、階をつなぐリンクには前記階の情報とは異なる属性情報を付加した情報配信サーバがネットワークを介して接続される通信ナビゲーションシステムを構成する携帯端末であって、
前記携帯端末は、出発地と目的地の階を含む位置情報とともに経路探索要求を送信する経路探索要求部と、構造物内に設置された位置情報送信ユニットから、階の情報を含む位置情報を受信する位置情報受信部と、を備えた携帯端末を構成するコンピュータに、
出発地と目的地の階を含む位置情報とともに経路探索要求を送信する経路探索要求部としての処理と、
構造物内に設置された位置情報送信ユニットから、階の情報を含む位置情報を受信する位置情報受信部としての処理と、
位置情報受信部が受信した階を含む位置情報に基づいて、前記情報配信サーバから配信される地図データ、案内経路データを表示し、前記案内データを再生する処理と、を実行させることを特徴とするプログラムである。
【００４３】
また、本願の請求項１８にかかる発明は、請求項１７にかかるプログラムにおいて、前記携帯端末を構成するコンピュータに、前記位置情報受信部が受信した階を含む位置情報に基づいて、前記情報配信サーバから配信される地図データ、案内経路データを表示する処理と、前記異なる属性情報が付加されたリンクの端点のノード近傍の位置を案内ポイントとして作成された案内データを再生する処理と、を実行させることを特徴とする。
【００４４】
また、本願の請求項１９にかかる発明は、請求項１７にかかるプログラムにおいて、前記携帯端末を構成するコンピュータに、前記位置情報受信部が受信した階を含む位置情報に基づいて、前記情報配信サーバから配信される階毎の地図データ、案内経路データを表示する処理と、前記案内データを再生する処理と、を実行させることを特徴とする。
【００４５】
また、本願の請求項２０にかかる発明は、請求項１７にかかるプログラムにおいて、前記携帯端末を構成するコンピュータに、前記位置情報受信部が受信した階を含む位置情報に基づいて、前記情報配信サーバから配信される階毎の地図データ、案内経路データを表示する処理と、前記異なる属性情報が付加されたリンクの端点のノード近傍の位置を案内ポイントとして作成された案内データを再生する処理と、を実行させることを特徴とする。
【発明の効果】
【００４６】
請求項１にかかる発明においては、情報配信サーバがノードデータとリンクデータとコストデータからなる地図データを蓄積した地図データベースを有し、リンクデータには各リンクに該リンクが位置する階の情報を属性情報として付加し、階をつなぐリンクには前記階の情報とは異なる属性情報を付加し、記経路探索部は、携帯端末からの経路探索要求に基づいて前記地図データベースを参照して出発地から目的地に至るリンクをたどり、最適なリンクを案内経路として決定し、案内ポイントデータ作成部は、案内経路に応じて案内ポイントを含む案内データを作成する。携帯端末は、位置情報受信部で構造物内に設置された位置情報送信ユニットから、階の情報を含む位置情報を受信し、該位置情報に基づいて、案内データから案内ポイントへの到達を検出し、該案内ポイントに設定された案内を行う。
かかる構成によれば、地下街や建物内部であっても、階をまたいだ経路探索を効率的に行うことができ、また、探索した案内経路を視認しやすく携帯端末に表示させることができ、更に、案内経路をガイドするための位置情報を容易に提供することができるようになる。
【００４７】
請求項２にかかる発明においては、請求項１にかかる通信ナビゲーションシステムにおいて、案内ポイントデータ作成部は、前記異なる属性情報が付加されたリンクの端点のノード近傍の位置を案内ポイントとして案内データを作成する。かかる構成によれば、階をつなぐリンクの端点を案内ポイントとするから、階の替り目を案内の区切りにすることができ、探索した案内経路と案内ガイドをわかり易く携帯端末に提供することができるようになる。
【００４８】
請求項３にかかる発明においては、請求項１にかかる通信ナビゲーションシステムにおいて、経路探索部は、前記探索した案内経路および地図データを階毎に分離し、前記案内ポイントデータ作成部は、案内ポイントを含む案内データを階毎に作成し、前記携帯端末に配信する。かかる構成によれば、携帯端末に配信される案内経路および地図データ、案内ポイントを含む案内データを階毎に作成され配信されるから、地図データおよび案内経路データ、案内データが階毎に提供され、視認しやすく携帯端末に表示させ、また、ユーザにわかり易い案内を提供することができるようになる。
【００４９】
請求項４にかかる発明においては、請求項１にかかる通信ナビゲーションシステムにおいて、案内ポイントデータ作成部は、案内ポイントを含む案内データを階毎に作成し、前記異なる属性情報が付加されたリンクの端点のノード近傍の位置を案内ポイントとして案内データを作成する。かかる構成によれば、階をつなぐリンクの端点を案内ポイントとするから、階の替り目を案内の区切りにすることができ、また、携帯端末に配信される案内経路および地図データ、案内ポイントを含む案内データを階毎に作成され配信されるから、地図データおよび案内経路データ、案内データが階毎に提供され、視認しやすく携帯端末に表示させることができるようになる。
【００５０】
請求項５にかかる発明においては、情報配信サーバは、ノードデータとリンクデータとコストデータからなる地図データを蓄積した地図データベースを有し、リンクデータには各リンクに該リンクが位置する階の情報を属性情報として付加し、階をつなぐリンクには前記階の情報とは異なる属性情報を付加している。そして、経路探索部は、携帯端末からの経路探索要求に基づいて前記地図データベースを参照して出発地から目的地に至るリンクをたどり、最適なリンクを案内経路として決定し、案内ポイントデータ作成部は、案内経路に応じて案内ポイントを含む案内データを作成する。かかる構成によれば、地下街や建物内部であっても、階をまたいだ経路探索を効率的に行うことができ、また、地図データ、探索した案内経路、案内データわかり易い形で携帯端末に提供できる情報配信サーバに提供することができるようになり、請求項１の通信ナビゲーションシステムを構成する情報配信サーバを提供することができるようになる。
【００５１】
請求項６にかかる発明においては、請求項５にかかる情報配信サーバにおいて、前記案内ポイントデータ作成部は、前記異なる属性情報が付加されたリンクの端点のノード近傍の位置を案内ポイントとして案内データを作成する。かかる構成によれば、階をつなぐリンクの端点を案内ポイントとするから、階の替り目を案内の区切りにすることができ、探索した案内経路と案内ガイドをわかり易く携帯端末に提供することができるようになり、また、請求項２の通信ナビゲーションシステムを構成する情報配信サーバを提供することができるようになる。
【００５２】
請求項７にかかる発明においては、請求項５にかかる情報配信サーバにおいて、前記経路探索部は、前記探索した案内経路および地図データを階毎に分離し、前記案内ポイントデータ作成部は、案内ポイントを含む案内データを階毎に作成し、前記携帯端末に配信する。かかる構成によれば、携帯端末に配信される案内経路および地図データ、案内ポイントを含む案内データを階毎に作成され配信されるから、地図データおよび案内経路データ、案内データが階毎に提供され、視認しやすく携帯端末に表示させ、また、ユーザにわかり易い案内を提供することができるようになる。また、請求項３の通信ナビゲーションシステムを構成する情報配信サーバを提供することができるようになる。
【００５３】
請求項８にかかる発明においては、請求項５にかかる情報配信サーバにおいて、前記案内ポイントデータ作成部は、案内ポイントを含む案内データを階毎に作成し、前記異なる属性情報が付加されたリンクの端点のノード近傍の位置を案内ポイントとして案内データを作成する。かかる構成によれば、階をつなぐリンクの端点を案内ポイントとするから、階の替り目を案内の区切りにすることができ、また、携帯端末に配信される案内経路および地図データ、案内ポイントを含む案内データを階毎に作成され配信されるから、地図データおよび案内経路データ、案内データが階毎に提供され、視認しやすく携帯端末に表示させることができるようになる。また、請求項４の通信ナビゲーションシステムを構成する情報配信サーバを提供することができるようになる。
【００５４】
請求項９、１０、１１、１２にかかる発明においては、請求項５、６、７、８にかかる情報配信サーバを実現するためのコンピュータプログラムをさ提供することができるようになる。また、かかるプログラムによれば、地下街や建物内部であっても、階をまたいだ経路探索を効率的に行うことができ、また、地図データ、探索した案内経路、案内データわかり易い形で携帯端末に提供できるようになる。
【００５５】
請求項１３にかかる発明においては、携帯端末は、出発地と目的地の階を含む位置情報とともに経路探索要求を送信する経路探索要求部と、構造物内に設置された位置情報送信ユニットから、階の情報を含む位置情報を受信する位置情報受信部と、を備え、前記位置情報受信部が受信した階を含む位置情報に基づいて、前記情報配信サーバから配信される地図データ、案内経路データを表示し、前記案内データを再生する。かかる構成によれば、地下街や建物内部であっても、携帯端末は階の情報を含む位置情報を容易に得ることができ、情報配信サーバから提供される地図データ、案内経路データ、案内データを前記位置情報に従って、利用することができるようになる。また、請求項１にかかる通信ナビゲーションシステムを構成する携帯端末を提供することができるようになる。
【００５６】
請求項１４にかかる発明においては、請求項１３にかかる携帯端末において、前記位置情報受信部が受信した階を含む位置情報に基づいて、前記情報配信サーバから配信される地図データ、案内経路データを表示し、前記異なる属性情報が付加されたリンクの端点のノード近傍の位置を案内ポイントとして作成された案内データを再生する。かかる構成によれば、地下街や建物内部であっても、携帯端末は階の情報を含む位置情報を容易に得ることができ、情報配信サーバから提供される地図データ、案内経路データを表示し、前記異なる属性情報が付加されたリンクの端点のノード近傍の位置を案内ポイントとして作成された案内データを前記位置情報に従って利用することができるようになる。また、請求項２にかかる通信ナビゲーションシステムを構成する携帯端末を提供することができるようになる。
【００５７】
請求項１５にかかる発明においては、請求項１３にかかる携帯端末において、前記位置情報受信部が受信した階を含む位置情報に基づいて、前記情報配信サーバから配信される階毎の地図データ、案内経路データを表示し、前記案内データを再生する。かかる構成によれば、地下街や建物内部であっても、携帯端末は階の情報を含む位置情報を容易に得ることができ、前記位置情報に従って、情報配信サーバから提供される案内データを利用することができるきようになる。また、請求項３にかかる通信ナビゲーションシステムを構成する携帯端末を提供することができるようになる。
【００５８】
請求項１６にかかる発明においては、請求項１３にかかる携帯端末において、前記位置情報受信部が受信した階を含む位置情報に基づいて、前記情報配信サーバから配信される階毎の地図データ、案内経路データを表示し、前記異なる属性情報が付加されたリンクの端点のノード近傍の位置を案内ポイントとして作成された案内データを再生する。かかる構成によれば、地下街や建物内部であっても、携帯端末は階の情報を含む位置情報を容易に得ることができ、情報配信サーバから提供される地図データ、案内経路データを表示し、前記異なる属性情報が付加されたリンクの端点のノード近傍の位置を案内ポイントとして作成された案内データを前記位置情報に従って利用することができるようになる。また、請求項４にかかる通信ナビゲーションシステムを構成する携帯端末を提供することができるようになる。
【００５９】
請求項１７、１８、１９、２０にかかる発明においては、請求項１３、１４、１５、１６にかかる携帯端末を実現するためのコンピュータプログラムをさ提供することができるようになる。また、かかるプログラムによれば、地下街や建物内部であっても、地下街や建物内部であっても、携帯端末は階の情報を含む位置情報を容易に得ることができ、情報配信サーバから提供される地図データ、案内経路データ、案内データを前記位置情報に従って、利用することができるようになる。
【発明を実施するための最良の形態】
【００６０】
以下、本発明の具体例を実施例及び図面を用いて詳細に説明する。図１は、本発明にかかる通信ナビゲーションシステムを構成する情報配信サーバと携帯端末の構成を示すブロック図である。図２は、本発明にかかる通信ナビゲーションシステム１０が経路案内のサービスを提供する地下街、建物などの構造物の例を示す平面図であり、図３は、地下街や建物などの構造物を断面で示した断面図である。図４は、図２の平面図におけるノードの位置を示す平面図であり、図５は、図２の平面図におけるリンクの位置を示す模式図である。図６は、携帯端末に位置情報を送信する位置情報送信ユニットの構成を示す模式図であり、図７は、位置情報送信ユニットを地下街や建物内部の照明用電源を利用して所定の間隔で多数設置した状態を示す概念図である。図８は、ガイドポイントで携帯端末に表示するアイコンを示す図であり、図９は、携帯端末に表示される地図、案内経路、アイコン等の表示画面例を示す図である。図１０は、本発明にかかる通信ナビゲーションシステムにおける経路探索の手順を示すフローチャートである。図１１は、本発明にかかる通信ナビゲーションシステムにおける案内経路のガイダンスの手順を示すフローチャートである。
【実施例】
【００６１】
図１は、本発明の実施例にかかる通信ナビゲーションシステム１０およびその構成要素である本発明にかかる情報配信サーバ２０、携帯端末３０の構成を示すブロック図である。図１に示すように、情報配信サーバ２０と携帯端末３０とがネットワーク１２を介して接続され通信ナビゲーションシステム１０が構成される。携帯端末３０が携帯電話である場合には、携帯端末３０は、無線により基地局と通信し、基地局を介してインターネットなどのネットワーク１２を経由して情報配信サーバ２０と接続関係が確立され、経路探索要求などのサービス要求を情報配信サーバ２０に送り、また、情報配信サーバ２０から地図情報、経路探索の結果などの配信を受ける。
【００６２】
携帯端末３０は、主制御部３１、経路探索要求部３２、案内データ記憶部３３、地図・経路記憶部３４、位置情報受信部３５、ＧＰＳ処理部３６とから構成されている。携帯端末３０は図示していないが、操作部、表示部を備えており、操作部から所望の入力、操作指示を行い、表示部に情報配信サーバ２０から配信された地図や案内経路を表示する。主制御部３１は、マイクロプロセッサを中心に構成され、一般的なコンピュータ装置と同様にＲＡＭ、ＲＯＭなどの記憶手段を備えており、これらの記憶手段に蓄積されたプログラムによって各部を制御する。
【００６３】
経路探索要求部３２は、出発地、目的地、移動手段などの経路探索要件を情報配信サーバ２０に送り、経路探索の要求を行う。出発地、目的地は緯度、経度によって指示するのが一般的であるが、住所や電話番号を入力し、情報配信サーバ２０のデータベースで緯度、経度の情報に変換する方法や、携帯端末３０に表示される地図上でポイントを指定し緯度、経度の情報に変換する方法などがとられる。本発明の実施例においては、出発地、目的地の情報は、緯度、経度の情報の他に「階」の情報が必要になる。移動手段は、例えば、徒歩、自動車、徒歩と交通機関の併用などである。「階」の情報は、例えば、操作部から入力しなくてもよく、入口の番号や目的とするお店の名前、携帯端末に表示される地図上でポイントして指定する方法などが利用できる。もちろん、出発地の情報としては、後述する位置情報受信部３５から受信した測位地点の緯度、経度、階の情報を使用することもできる。
【００６４】
案内データ記憶部３３には、情報配信サーバ２０からダウンロードまたはプレインストールした経路のガイダンス、例えば、交差点や分岐点（ガイドポイント）に携帯端末３０が近づいた際に、「この先、右折です」等の表示、音声による案内のパターンが記憶されており、携帯端末３０が情報配信サーバ２０から配信を受けた案内経路やガイドポイント（案内ポイント）のデータに従って、設定された案内（ガイド）を表示したり、音声ガイドしたりすることができる。地図・経路記憶部３４は、経路探索要求の結果、情報配信サーバ２０が経路探索した結果、携帯端末３０に配信する地図データ、案内経路データを記憶し、表示部に地図、経路を表示するためのものである。
【００６５】
位置情報受信部３５は、後述する位置情報送信ユニットから位置情報（緯度、経度、階の情報）を受ける受信手段であり、ＧＰＳ処理部３６は、通常のナビゲーション端末（携帯端末）と同様に、ＧＰＳ衛星信号を受信、処理して現在位置を測位するためのものである。前述したように、地下街や建物などの構造物内ではＧＰＳ衛星信号を受信できないため、測位が不能になる。位置情報受信部３５は、後述するように地下街などの構造物内に設置され、現在位置を「階」情報まで含めて携帯端末３０に提供する位置情報送信ユニットから位置情報を得るものであり、地下街などにおいてＧＰＳ処理部３６の機能を補間する測位手段として機能する。
【００６６】
一方、情報配信サーバ２０は、主制御部２１、送受信部２２、地図データベース（ＤＢ）２３、経路探索部２４、データ配信２５、案内ポイントデータ作成部２６、案内データデータベース（ＤＢ）２７、アイコンデータベース（ＤＢ）２８とを備えている。主制御部３１は、マイクロプロセッサを中心に構成され、一般的なコンピュータ装置と同様にＲＡＭ、ＲＯＭなどの記憶手段を備えており、これらの記憶手段に蓄積されたプログラムによって各部を制御する。
【００６７】
送受信部２２は、携帯端末３０からのデータやサービス要求を受信し、また、携帯端末に要求されたデータやサービスに必要なデータを送信（配信）するためのものである。地図データベース（ＤＢ）２３は、携帯端末３０に配信して表示するための地図情報と経路探索のための地図データ（ノードデータ、リンクデータ、コストデータ）を蓄積したデータベースであり、経路探索部２４は、携帯端末３０から送られた経路探索の要件に従って、地図ＤＢ２４を参照して、主発地から目的地までの最短の案内経路を探索する。探索の手法は、前述の特許文献４に開示されたダイクストラ法を使用することができる。
【００６８】
データ配信部２５は、経路探索部２４で探索した最短の案内経路のデータ、地図データ、案内データ等のデータを携帯端末３０に配信するためのものであり、案内経路は経路探索部２４によってベクターデータとして作成され、携帯端末３０に地図データに付加されて配信され、携帯端末３０は、配信された地図データと案内経路データに従って、表示部に地図および案内経路を表示する。案内ポイントデータ作成部２６は、探索した案内経路に交差点や分岐点などが含まれる場合に、音声や表示によるガイドのパターンと、この音声パターンや表示実行するポイントを示すデータを作成するためのものである。案内データＤＢ２７は、携帯端末３０に予めダウンロードもしくはプレインストールする案内（ガイド）パターンを蓄積したデータベースである。携帯端末３０は、前記地図データ、案内経路データとともにこの案内ポイントデータも配信を受け、案内ポイントに到達した時点で所定のガイドを受けることかできる。
【００６９】
アイコンＤＢ２８は、携帯端末３０に表示する現在地や目的地、案内経路に存在するリンクの種類（例えば、階をつなぐリンクであるが階段、エスカレータ、エレベータなど）を視認しやすく表すためのアンコンパターンを蓄積したデータベースであり、ガイドのための音声パターン、表示パターンと同様に、携帯端末３０に予めダウンロードもしくはプレインストールさせておき、携帯端末に表示する案内経路の目的地表示あるいは現在地表示などの際にこのアンコンを表示させることができる。
【００７０】
図２は、本発明にかかる通信ナビゲーションシステム１０が経路案内のサービスを提供する地下街、建物などの構造物の例を示す平面図である。図２において、１Ｆ〜Ｂ２は建物のフロア（階）を示し、１Ｆは地上１階、Ｂ１は地下１階、Ｂ２は地下２階を示している。図３は、このような地下街や建物などの構造物を断面で示した断面図である。このような建物内には、フロア内の経路（通路）およびフロア間をつなぐ経路、例えば、図３に示す階段３１１、エレベータ３１２、エスカレータ３１３などがある。通常のナビゲーションに使用される地図データと同様に、フロア毎の経路、フロアをつなぐ経路を地図データとして作成し、蓄積しておくことによって経路探索、経路案内が可能である。
【００７１】
通常のナビケーションにおける経路探索と異なる点は、経路の一部にフロアとフロアを垂直方向に移動する経路が存在する点のみである。従って、垂直方向に移動する経路を含め、全ての経路の起点／終点（端点）および水平方向、垂直方向の進行方向が変わる分岐点（道路では交差点などに該当する）をノードとしてノードＩＤ（ノード番号）を決め、各ノードを結ぶリンク毎の移動時間（コスト）をデータベース化しておけば、前記特許文献４に開示されているダイクストラ法を用いて出発場所から目的の場所に至る最短の経路を探索することができる。地下街や該建物内の経路探索の場合は、経路探索の基となる出発地や目的地の位置情報として緯度、経度の他に階（フロア）の情報が必要になる。
【００７２】
本発明においては、ノードデータとしては、各ノード毎の緯度、経度による位置情報を蓄積し、各ノードをつなぐリンクのリンクデータに各リンクが位置するフロア（階）の情報を属性情報と付加して蓄積し、コストデータには、各リンクのリンク長や所要時間を蓄積しておく。リンクのうち、フロア間をつなぐリンクは特定のフロアのみに位置しているものではないため、フロア（階）情報が属性情報として付加されることはないが、リンクの種別、すなわち、階段、エスカレータ、エレベータなどの種別情報を属性情報として付加しておく。このことから、経路探索において、出発地から目的地までの各ノードをつなぐリンクをたどっていった時に、フロア（階）情報が付加されていないリンクに到達したらその手前のノードが階をつなぐリンクの入口（起点）で、先のノードがその出口（終点）であり、リンク種別が何であるかをシンプルに判定できるようになる。なお、図３においてＢＴで示すユニットは、携帯端末３０に現在位置情報を提供するための位置情報送信ユニットである。この位置情報送信ユニットについては後で詳細に説明する。
【００７３】
図４は、図２の平面図におけるノードの位置を示す平面図である。図４において、各ノードにはノードＩＤ（ノード番号）が決められており、ノードｎ１００、ｎ１１０は地上１階（１Ｆ）に位置するノードであり、ノードｎ２００〜ｎ２１２は地下１階（Ｂ１）に位置するノード、ノードｎ３００〜ｎ３２０は地下２階（Ｂ２）に位置するノードであることを示している。これらのノードをつなぐリンクが図５に示されている。すなわち、図５は、図２の平面図におけるリンクの位置を示す模式図である。図５に示すようにリンクＬ１〜Ｌ２８は、各ノードをつなぐ経路であって階をつなぐリンクを含め、すべてのノードはこれらのリンクによって結ばれている。
【００７４】
例えば、図４において、地上１階（１Ｆ）のノードｎ１００から地下２階（Ｂ２）の地下鉄改札口のノードｎ３２０までの経路は、
ノード  ｎ１００〜ｎ２０１〜ｎ２０２〜ｎ３０２〜ｎ３０１〜ｎ３２０  をつなぐ経路である。これらのノードをつなぐリンクの属性で分けると、
ノードｎ１００〜ノードｎ２０１は、リンクＬ５（図５参照）でつながれた階段である。
ノードｎ２０１〜ノードｎ２０２は、リンクＬ８でつながれた通路である。
ノードｎ２０２〜ノードｎ３０２は、リンクＬ２１でつながれた階段である。
ノードｎ３０２〜ノードn３０１は、リンクＬ１７でつながれた通路である。
ノードｎ３０１〜ノードn３２０は、リンクＬ１９でつながれた通路である。
リンクＬ８、リンクＬ１７、リンクＬ１９は、フロア内の通路であり属性情報としてその「階」のデータが付加されている。これに対してリンクＬ５とリンクＬ２１は、フロアにまたがる経路であり特定のフロアのみに位置するものではないため、属性情報として「階」のデータは付加されていない。
【００７５】
従って、携帯端末３０から経路探索要件として、出発地のノードｎ１００、目的地のノードｎ３２０の位置情報が、移動手段として徒歩が指定され情報配信サーバ２０に送られると、経路探索部２４は、地図ＤＢ２３に蓄積されたノードデータ、リンクデータ、コストデータを参照して、出発地のノードを起点にリンクをたどり、所要時間あるいはリンク長の最も短い案内経路を探索していく。リンクデータには各リンクに属性情報として「階」の情報が付加されており、階をつなぐリンクには「階」の属性情報が付加されていないから、フロア（階）情報が付加されていないリンクに到達したらその手前のノードが階をつなぐリンクの入口（起点）で、先のノードがその出口（終点）であると判断することができ、階をまたがる経路探索を一度に行うことができる。
【００７６】
このようにして情報配信サーバ２０で探索した案内経路のデータは、地図データとともに、携帯端末３０に配信される。また、情報配信サーバ２０は、案内経路に分岐点であるノードをガイドポイントとし、そのガイドポイントで案内に使用する音声案内などによるガイダンスのパターンを指定した案内ポイントデータを作成して携帯端末３０に配信する。「階」をまたがるリンクガ存在する場合もその起点、終点となるノードをガイドポイントとし、そのガイドポイントでガイドするガイダンスのパターンを指定した案内ポイントデータを作成することはいうまでもない。例えば、ノードｎ２０１をガイダンスポイントとし、「この階段を地下１階におりて下さい」などのガイダンスパターンを指定した案内ポイントデータを作成する。
【００７７】
情報配信サーバ２０が携帯端末３０に地図データ、案内経路データを配信する場合、フロア（階）毎に分けた地図データ、案内経路データ、案内ポイントデータを配信すると好都合である。出発地から目的地までの複数の階にまたがった地図データは、基本的には緯度、経度を同一にするものであるから、そのまま携帯端末３０に表示したとしても、複数のフロアの経路データを透視する表示形態、あるいは、３次元表示などの立体的な表示方法で表示するなどの工夫が必要である。しかしながら、そのような表示形態をとったとしても携帯端末３０が携帯電話のように限られた表示面積の画面しか持たない場合には、ユーザにとって視認し難い表示となることは避けられない。ユーザにとっては、現在位置するフロア（階）の地図と案内経路が表示されれば十分であり、階をまたがる経路を経て、次の階に到達した時点でその階の地図、案内経路が表示されれば、視認もし易くナビゲーションサービスを利用するには何ら支障がない。
【００７８】
情報配信サーバ２０から地図データ、案内経路データ、案内ポイントデータの配信を受けると、携帯端末３０は、地図・経路記憶部３４に地図データ、案内経路データを記憶し、案内ポイントデータを案内データ記憶部３３に記憶する。そして、携帯端末３０は地図・経路記憶部３４と案内データ記憶部３３からそれぞれのデータを読み出して表示部に地図および案内経路を表示し、ガイドポイントに到達する毎に音声案内などのガイダンスを受けて移動することができる。
【００７９】
前述したように、携帯端末３０が案内経路に沿って移動する際に現在案内経路のどの地点にいるか、また、音声案内などによるガイダンスを再生するポイントに到達したか否かを判断するためには、携帯端末３０の現在位置がわかる必要がある。通常、携帯端末３０はＧＰＳ処理部３６により現在位置を測位しているが、地下街や建物内などの構造物の内部においては、ＧＰＳ衛星信号を受信できないため、測位をすることができない。これを補間するのが、位置情報受信部３５であり、本実施例においては、無線通信により
設置位置の緯度、経度、階の情報からなる位置情報を送信する位置情報送信ユニットが構造物内に設置されている。
【００８０】
図６は、この位置情報送信ユニットの構成を示す模式図である。位置情報送信ユニット１００は、図６（ａ）、図６（ｂ）に示すように位置情報送信ユニット本体１０２と蛍光ランプあるいは電球からなるランプなどで構成される照明器具本体２０２とからなり、位置情報送信ユニット本体１０２は照明器具本体２０２のランプ支持部２０６に取り付けられている。位置情報送信ユニット本体１０２は、図６（ｃ）に示すように電源部１０４と通信部（通信モジュール）１０６とマイコン（マイクロコンピュータ）１０８とから構成されており、電源部１０４には照明器具本体２０２の口金２０４から電源線が接続されるように構成されている。この位置情報送信ユニット１００が天井や壁に設けられた照明用ソケットに差し込まれる。図６（ａ）に示すようにランプ２０８が蛍光管から構成される場合、口金２０４から供給される交流電圧を電源としたインバータ回路があり、制御回路のために直流電源も用意されていることから、これに電源部１０４を接続すればよい。また、図６（ｂ）に示すようにランプ２０８が電球から構成される場合にはインバータ回路に相当する交流電圧−直流電圧変換回路を中継して電源部１０４に接続する構成にすればよい。
【００８１】
位置情報送信ユニット本体１０２は、マイコン（マイクロコンピュータ）１０８を中心に構成されている。マイコン（マイクロコンピュータ）１０８は、周知のようにプロセッサ、ＲＯＭ、ＥＥＰＲＯＭなどから構成されており、ＲＯＭに記録された制御プログラムにより通信部１０６を制御し、通信部１０６から受信した情報をＥＥＰＲＯＭに記録し、または、ＥＥＰＲＯＭに記録された位置情報を通信部１０６を介して送信する。ＥＥＰＲＯＭには当該位置情報送信ユニット１００が設置される場所の緯度、経度、階の情報が位置情報として記録される。通信部１０６は、例えば、ブルートゥース（Bluetooth：登録商標）による通信方式に適合した通信モジュールである。ブルートゥース（Bluetooth：登録商標）は、比較的微弱な電波を用いた無線通信方式であり、現状の電波到達範囲は、例えば、半径１０ｍ程度である。従って、携帯端末が位置情報送信ユニット１００の設置場所から半径１０ｍの範囲に位置した場合、ＥＥＰＲＯＭに記録した設置場所の緯度、経度、階の情報を位置情報として該携帯端末３０に送信することができる。
【００８２】
ＥＥＰＲＯＭに記録する位置情報は、緯度、経度、階の情報に加えて、あるいは、階の情報の替わりに、ホテルや集合住宅、オフィスなどの建物の場合、部屋番号を付加することもできる。この場合、携帯端末が取得する位置情報には、部屋番号が含まれ、例えば、携帯端末としての携帯電話から緊急通話があった場合の発信場所の特定に有効な手段となる。
【００８３】
このように照明器具本体２０２に位置情報送信ユニット本体１０２を取り付けた構成にすると、照明器具設置用のソケットやシーリング、コンセントなどの既存の電源供給部を利用することによって電源系統の配線設備を用意することなく、簡単に位置情報送信ユニットを設置することができる。また、建物内部や地下街においては一定の間隔で多数の位置情報送信ユニット１００を設置する必要があるが、位置情報送信ユニット本体１０２を構成する電源部１０４、通信部１０６、マイコン１０８などもコストダウンが進み安価に入手できるようになっており、量産による更なるコストダウンが可能になる。
【００８４】
また、地下街や建物内の照明器具用のソケットなどは、通常は常時電源が供給されており、位置情報送信ユニット本体１００を設置するだけでスタンドアロンで動作させることができる。従って、多数の位置情報送信ユニット１００を設置する場合、製造現場で各位置情報送信ユニットに設置場所の位置情報を記憶させる必要はなく、別途設置する地下街や建物内の設置場所と各位置情報をＰＣ（パソコン）にデータベース化して記憶しておき、設置現場でＰＣから個々の位置情報送信ユニットに書き込んでいくことも可能である。
【００８５】
図７は、このような位置情報送信ユニット１００を地下街や建物内部の照明用電源を利用して所定の間隔で多数設置した状態を示す概念図である。すなわち、構造物内には、位置情報送信ユニット１００ａ〜１００ｃが所定の間隔でエリアＡ〜Ｃに設置されている。。位置情報送信ユニット１００ａ〜１００ｃが前述したブルートゥース（Bluetooth：登録商標）による通信方式に適合したものである場合、その電波到達範囲は半径１０ｍ程度である。従ってエリアＡ〜Ｃのそれぞれは直径２０ｍでありその中心に位置情報送信ユニット１００ａ〜１００ｃを設置する。地下街や建物内の照明器具用ソケットなどの設置間隔は数ｍの単位であるから、各位置情報送信ユニット１００ａ〜１００ｃの電波の干渉が起きない間隔でエリアＡ〜Ｃを区切って設置することは容易である。
【００８６】
携帯端末３０がエリアＡの範囲に入ると、位置情報送信ユニット１００ａからの位置情報、すなわち、位置情報送信ユニット１００ａが設置された場所の緯度、経度、階の情報が携帯端末３０に送信され、携帯端末３０は情報配信サーバ２０その他のサーバに現在位置を通知することができる。この場合、携帯端末３０と情報配信サーバ２０との間は、インターネットなどのネットワークを介して通信可能な状態にあることが必要である。現在では地下鉄施設内を始め、地下街や建物内においても携帯電話の使用が可能なように中継施設や基地局が設置されていることが多く、このような設備を構築すれば十分実用に供することができ、携帯端末３０と情報配信サーバ２０などとの間でデータ通信が可能である。
【００８７】
本実施例においては、図６に示した位置情報送信ユニット１００を、図４に示す各ノードの位置に設けられている照明設置位置に設置したものとして、以下の説明を行う。もちろん位置情報送信ユニット１００を全てのノード位置に設置する必要はなく、少なくとも分岐点のノード、階をつなぐリンクにおける端点のノードの位置など、ガイドポイントとするノード位置に設置してあれば、携帯端末３０がガイドポイントに到達したことを判断し、設定された音声ガイドを再生するなどの処理が行える。
【００８８】
一般にナビゲーション装置においては、出発地、目的地、現在位置などをユーザにわかり易く表示するためにアイコンを表示している。このアイコンは、一般的には限られた種類のパターンを用意しておき、携帯端末３０にプリインストールあるいは情報配信サーバ２０からダウンロードさせて携帯端末３０に蓄積しておくようにされる。例えば、出発地を「Ｓ」という文字アンコンで、目的地を「Ｇ」という文字アイコンで、現在位置を星印等の図形アンコンで表示するものである。
【００８９】
本実施例においては、図８に示すようにエレベータ、エスカレータ、階段などリンクの種別に応じたわかり易いアンコンのパターンを用意しておき、携帯端末３０が該当するリンクの端点であるノードに到達した時点で地図、案内経路とともに、このアイコンを表示することによって、視認しやすい表示を行う。図８において（a）はエスカレータで８階に上がることを意味するアイコン、（ｂ）はエスカレータで階を下ることを意味するアイコン、（ｃ）は階段で階を上がることを意味するアイコンである。図８（ｄ）はエレベータで８階に上がることを示すアイコンであり、（ｅ）はエレベータがバリアフリーであり、このエレベータで８階に上がることを示すアイコンである。先に述べたように、地図、案内経路は携帯端末３０が現在位置する階だけについて表示するものであり、図９に示すように、その階の出発地をアイコン「Ｓ」として表示し、階をつなぐリンクであるエレベータがこの階における仮の目的地（ゴール）である。そして仮のゴール地点であるエレベータによるリンクの端点のノードには、図８（ｅ）のようにエレベータで８階に上がるというアイコンを表示することによってユーザに視認し易い案内をすることができるようになる。このようなアイコンは、通常のナビゲーションシステムにも適用することが可能であり、タクシーのアイコンや鉄道会社毎に車両の色や特徴点を図形化したアイコン、地下鉄などの駅番号を示すアイコンなどを利用することができる。
【００９０】
以上、説明した本発明にかかる通信ナビゲーションシステムにおける経路探索とその案内の手順について説明する。図１０は、以上説明した本実施例にかかる通信ナビゲーションシステムにおける経路探索の手順を示すフローチャート、図１１は案内経路のガイダンスを行う手順を示すフローチャートである。
【００９１】
携帯端末３０が地下街、建物内において、情報配信サーバ２０と通信して経路探索、あるいは、案内経路のガイダンスや案内データを受けるためには、前述したように、地下街や建物内において、携帯端末３０と情報配信サーバ２０との間のデータ通信環境が整っていること、経路探索サーバに前述したような経路データ（地図データ）が蓄積されていることが前提条件となる。このような前提条件が満たされているものとして以下に経路探索、経路案内の手順を説明する。また、携帯端末３０は通常の通信ナビゲーションシステムにも対応するものであって、ＧＰＳ処理部３６を備えており測位を行うことができるものとする。
【００９２】
図１０のフローチャートにおいて、携帯端末３０は、ステップＳ１２０において、ユーザによって、前述した出発地、目的地、移動手段などの経路探索の要件が入力、決定される。次に、携帯端末３０は、ステップＳ１２１でこれらの経路探索の要件を情報配信サーバ２０に経路探索要求として送信する。情報配信サーバ２０は、携帯端末３０から送られた経路探索の要件に従って、ステップＳ１２２において経路探索部２４によって図３ないし図５を用いて説明した地図データを参照して、出発地から目的地まで、階をまたがった経路を探索する。この探索の手法は前述したダイクストラ法などの方法を使用することができる。探索の結果、最短の経路を案内経路とする。同時に、案内経路データ、ガイドポイントと音声案内の案内パターンを設定した案内データを作成する。
【００９３】
次に、情報配信サーバ２０は、ステップＳ１２３〜ステップＳ１２５でそれぞれ、階毎の地図データを分離、階毎の案内経路データを分離、階毎の案内データを分離する。そして、情報配信サーバ２０は、ステップＳ１２６で携帯端末３０から現在位置情報（緯度、経度、階の情報からなる）データを受信する。携帯端末３０が位置情報を測位する方法は図７で説明した位置情報送信ユニット１００から得ることは既に説明した。ステップＳ１２７で携帯端末３０から地図・経路データ（地図データ、案内経路データ、案内データ）の要求があれば、情報配信サーバ２０は、携帯端末３０から受信した位置情報に基づいて、データ配信部２５がステップＳ１２７において携帯端末３０が位置する階の地図データ、案内経路データ、案内データ（ステップＳ１２３〜１２５で階毎に分離したデータ）を携帯端末３０に配信して処理を終了する。携帯端末３０から地図・経路データの要求が無ければそのまま処理を終了する。携帯端末３０が移動して新たな位置情報を測位すると、ステップＳ１２１からステップ１２８の処理が繰り返され、他の階に移動すると、その階の地図データ、案内経路データ、案内データが携帯端末３０に配信される。
【００９４】
次に、情報配信サーバ２０から地図データ、案内経路データ、案内データを受信した携帯端末３０における地図、経路の描画および案内（ガイダンス）の手順について図１１に示すフローチャートを参照して説明する。
【００９５】
携帯端末３０が地図データ、案内経路データなどの配信を受けるにあたって、出発地と目的地の位置情報（階の情報を含む）、移動手段などの経路探索の要件は、携帯端末３０から情報配信サーバ２０に送られ、情報配信サーバ２０において既に出発場所から目的の場所までの経路探索が完了しているものとする。このような状態で、経路案内が開始され、ステップＳ１０１において、携帯端末３０は現在位置するエリアに設置された位置情報送信ユニット１００に位置情報を要求する。ステップＳ１０２において、携帯端末３０が位置情報送信ユニット１００から位置情報の受信を完了していなければステップＳ１０２の受信ステップを繰り返し、位置情報の受信が完了していればステップＳ１０６に進む。ステップＳ１０２で位置情報の受信にエラーがあれば、ステップＳ１０３に進みＧＰＳ測位を要求する。ステップＳ１０４でＧＰＳ測位が完了していなければステップＳ１０４の測位を繰り返し、完了していれば、ステップＳ１０６に進む。ステップＳ１０４でＧＰＳ測位にエラーがあれば、ステップＳ１０５でエラー表示をして処理を終了する。一方、ステップＳ１０２で位置情報送信ユニット１００からの位置情報受信が完了した場合には、ステップＳ１０３、ステップＳ１０４のＧＰＳ測位の手順は行われない。
【００９６】
このステップＳ１０１〜ステップＳ１０５の手順は、ＧＰＳ測位に対して位置情報送信ユニット１００から位置情報を得る手順を優先するための手順である。すなわち、位置情報送信ユニット１００から位置情報を受信できる場所に携帯端末３０が存在する場合には、ＧＰＳ測位を無効にする手順をとるものである。一般的に位置情報送信ユニット１００から位置情報を取得できる場所に携帯端末３０が位置するということは地下街や建物内に携帯端末３０が位置することを意味しており、この場合にはＧＰＳ衛星からの信号が受信できない場所である確率が高い。位置情報送信ユニット１００とＧＰＳ衛星からの信号の両方が受信できる場所は地下街の入り口あるいは建物の入り口などであって、この場合、地下街や建物の内部に入る可能性も高く、携帯端末３０側でＧＰＳ測位を無効にして位置情報送信ユニット１００からの位置情報を得るようにしても、通常のナビゲーション、地下街や建物内の案内に不都合がないためである。
【００９７】
次いで、ステップＳ１０６において携帯端末３０は情報配信サーバ２０と通信し、位置情報送信ユニット１００から受信した位置情報を情報配信サーバ２０に送信し、携帯端末３０が位置する場所（緯度、経度、階）の地図データ、案内経路データまたはガイドポイントを含む案内データなどの送信を要求する。ステップＳ１０７で要求したデータの受信が完了していなければ、ステップＳ１０７の受信処理を繰り返し、ステップＳ１０７で受信が完了すれば、ステップＳ１０８で情報配信サーバ２０から受信した地図を携帯端末３０の表示部に描画する。そして、ステップＳ１０９で携帯端末３０の位置がガイドポイントであるかを判定し、ガイドポイントであれば、ステップＳ１１０でそのガイドポイントに設定された音声案内を行ってステップＳ１１１に進み、ガイドポイントでなければ、ステップＳ１１０の案内処理を飛ばしてステップＳ１１１に進む。ステップＳ１１１では携帯端末３０の位置が目的の場所（目的地）であるか否かが判断され、目的の場所に到達していれば処理を終了し、目的の場所に到達していなければ、ステップＳ１０１の処理に戻る。
【００９８】
以上、詳細に説明したように、本発明にかかる通信ナビゲーションシステムにおいては、リンクデータに属性として「階」の情報を示す属性情報を付加する（「階」をつなぐリンクには階情報を付加せず他の属性情報とする）ことによって、リンクをたどっていった時に、階情報が付加されていないリンクに到達したらその手前のノードが階をつなぐリンクの入口（起点）で、先のノードがその出口（終点）であるとシンプルに判定できるようになる。
【００９９】
また、ここで表示される地図データは、地図データに「階」の情報を付加したものであるから、地図データを表示する際には、階ごとの地図データを提供することによって視認し易い経路の案内を提供することができ、更に、ＧＰＳ測位が不能になる地下街などで、携帯端末に現在位置の情報、特に、緯度、経度と「階」の情報を与える位置情報提供手段として、照明設備用電源のソケットなどの電源供給部を利用して無線ＩＤタグやブルートゥース（Bluetooth：登録商標）を利用したタグに相当する位置情報送信ユニット（無線送信機）を設置し、位置情報送信ユニットには設置位置の緯度、経度、階の情報を位置情報として記憶させておくことにより、案内経路をガイドするための位置情報を容易に提供できるようになる。
【０１００】
このように構成した通信ナビゲーションシステムによれば、地下街や建物内部であっても、階をまたいだ経路探索を効率的に行うことができ、また、探索した案内経路を視認しやすく携帯端末３０に表示させることができ、更に、案内経路をガイドするための位置情報を携帯端末に容易に提供することができるようになる。
【図面の簡単な説明】
【０１０１】
【図１】本発明にかかる通信ナビゲーションシステムを構成する情報配信サーバと携帯端末の構成を示すブロック図である。
【図２】本発明にかかる通信ナビゲーションシステムが経路案内のサービスを提供する地下街、建物などの構造物の例を示す平面図である。
【図３】地下街や建物などの構造物を断面で示した断面図である。
【図４】図２の平面図におけるノードの位置を示す平面図である。
【図５】図２の平面図におけるリンクの位置を示す模式図である。
【図６】携帯端末に位置情報を送信する位置情報送信ユニットの構成を示す模式図である。
【図７】位置情報送信ユニットを地下街や建物内部の照明用電源を利用して所定の間隔で多数設置した状態を示す概念図である。
【図８】ガイドポイントで携帯端末に表示するアイコンを示す図である。
【図９】携帯端末に表示される地図、案内経路、アイコン等の表示画面例を示す図である。
【図１０】本発明にかかる通信ナビゲーションシステムにおける経路探索の手順を示すフローチャートである。
【図１１】本発明にかかる通信ナビゲーションシステムにおける案内経路のガイダンスの手順を示すフローチャートである。
【符号の説明】
【０１０２】
１０・・・・通信ナビゲーションシステム
１２・・・・ネットワーク
２０・・・・情報配信サーバ
２１・・・・主制御部
２２・・・・送受信部
２３・・・・地図ＤＢ（地図データベース）
２４・・・・経路探索部
２５・・・・データ配信部
２６・・・・案内ポイントデータ作成部
２７・・・・案内データＤＢ（案内データデータベース）
２８・・・・アイコンＤＢ（アイコンデータベース）
３０・・・・携帯端末
３１・・・・主制御部
３２・・・・経路探索要求部
３３・・・・案内データ記憶部
３４・・・・地図・経路記憶部
３５・・・・位置情報受信部
３６・・・・ＧＰＳ処理部
【図１】
2006023094.tif 000003
【図２】
2006023094.tif 000004
【図３】
2006023094.tif 000005
【図４】
2006023094.tif 000006
【図５】
2006023094.tif 000007
【図６】
2006023094.tif 000008
【図７】
2006023094.tif 000009
【図８】
2006023094.tif 000010
【図９】
2006023094.tif 000011
【図１０】
2006023094.tif 000012
【図１１】
2006023094.tif 000013